(57)【要約】【課題】  ピクトなど、システム情報表示領域に表示される画像に基づいて、セキュリティが保障されている状態であるか否かについて利用者に注意を喚起する端末装置において、かかるセキュリティをより確実に確保する。【解決手段】  本発明に係る携帯電話端末は、予め実装されるシステムプログラム１３ｐの処理に応じて携帯電話端末の状態を表示するシステム情報表示領域１１ａとシステムプログラム１３ｐまたは外部から読込まれたダウンロードプログラム１４ｐの処理に応じて所定の画像が表示されるアプリケーション実行結果表示領域１１ｂとによって構成される表示部１１と、表示部１１に表示される画像の画像データを記憶する記憶領域１７ａ及び記憶領域１７ｂによって構成されるフレームバッファ１７と、記憶領域１７ａについて、システムプログラム１３ｐに対してのみ、アクセスを許可するＭＭＵ１６とを備える。【選択図】  図４
2005175966.tif 000002
【特許請求の範囲】
【請求項１】
端末装置に予め実装されているプログラムであるシステムプログラムの処理に応じて前記端末装置の状態を表示する状態表示領域と、前記システムプログラムまたは外部から読込まれた読込みプログラムの処理に応じて所定の画像が表示される処理結果表示領域によって構成される表示部と、
前記状態表示領域に表示される画像の画像データを記憶する状態表示記憶領域、及び前記処理結果表示領域に表示される画像の画像データを記憶する処理結果記憶領域とによって構成される記憶部と、
前記状態表示記憶領域について、前記システムプログラムに対してのみ、アクセスを許可するアクセス制御部と
を備えたことを特徴とする端末装置。
【請求項２】
前記アクセス制御部は、前記読込みプログラムの種別と、前記読込みプログラムと対応付けられた所定の条件とに基づいて、前記状態表示記憶領域へのアクセスを許可することを特徴とする請求項１に記載の端末装置。
【請求項３】
前記アクセス制御部として、ハードウェアによって構成される装置が用いられることを特徴とする請求項１または２に記載の端末装置。
【発明の詳細な説明】
【技術分野】
【０００１】
本発明は、インターネット上などに公開されているアプリケーションプログラムをダウンロードするとともに、当該アプリケーションプログラムを実行することが可能な携帯電話端末などの端末装置に関し、特に、ダウンロードなどによって外部から読込まれたアプリケーションプログラムの不正な動作による利用者の識別子やパスワードの不正取得の防止に関する。
【背景技術】
【０００２】
近年、携帯電話端末などの端末装置は、性能や機能が格段に向上し、例えば、インターネット上などに公開されている携帯電話端末用のアプリケーションプログラムをダウンロードしたり、記憶媒体から読込んだりするとともに、当該アプリケーションプログラムを実行することが可能となっている。
【０００３】
このようなアプリケーションプログラムの中には、不正な動作、例えば、あたかも端末装置の正常な動作に見せかけて、サービスの提供を受ける際に必要な識別子（ＰＩＮ）やパスワードを入力させ、入力された識別子やパスワードを、インターネットなどのネットワークを介して第三者が不正に取得する動作を行うプログラム、いわゆる「トロイの木馬」のような不正なプログラムが存在し得る。したがって、このような端末装置では、ダウンロードしたアプリケーションプログラムによって不正な動作が実行されることを防止することが肝要となる。
【０００４】
そこで、このような端末装置、例えば、携帯電話端末は、携帯電話端末に予め実装されているプログラム（以下、システムプログラムという）と異なるアプリケーションプログラム、つまり、ダウンロードしたり、記憶媒体から読み込まれたりしたアプリケーションプログラム（以下、ダウンロードまたは記憶媒体から読み込まれたアプリケーションプログラムをダウンロードプログラムと総称する）の実行中には、当該ダウンロードプログラムが実行中であることを示す画像（以下、ピクトという）を、携帯電話端末に具備されている表示部（液晶表示器）の特定の領域に表示する機能を具備している（例えば、非特許文献１）。
【０００５】
すなわち、当該ピクトが表示部に表示されている場合、実行中のダウンロードプログラムが、不正な動作を実行する可能性がある旨、利用者に注意を喚起することによってセキュリティを確保するようになっている。
【０００６】
すなわち、ピクトは、携帯電話端末が、セキュリティが保障されている状態であるか否かを利用者が判断する重要な情報として取り扱われている。
【非特許文献１】大関江利子、山田和宏、“携帯機組み込みＪａｖａの実用化”、［online］、２００１年、株式会社ＮＴＴドコモ、［平成１５年１１月２５日検索］、インターネット＜http://www.digital-lib.nttdocomo.co.jp/mobile_lib/＞
【発明の開示】
【発明が解決しようとする課題】
【０００７】
しかしながら、上述した従来の手法には、次のような問題があった。すなわち、ダウンロードプログラムの中には、当該ダウンロードプログラムの実行中にもかかわらず、ピクトを表示させないように携帯電話端末を動作させ、携帯電話端末のセキュリティが保障されている状態であると利用者に誤認させた上で、利用者の識別子やパスワードを不正に取得するものが存在し得る。
【０００８】
そこで、本発明は、以上の点に鑑みてなされたもので、ピクトなど、システム情報表示領域に表示される画像に基づいて、セキュリティが保障されている状態であるか否かについて利用者に注意を喚起する端末装置において、かかるセキュリティをより確実に確保することができる端末装置を提供することを目的とする。
【課題を解決するための手段】
【０００９】
上述した課題を解決するため、本発明は、次のような特徴を有している。まず、本発明の第１の特徴は、端末装置（携帯電話端末１０）に予め実装されるシステムプログラム（システムプログラム１３ｐ）の処理に応じて前記端末装置の状態を表示する状態示領域（システム情報表示領域１１ａ）と、前記システムプログラムまたは外部から読込まれた読込みプログラム（ダウンロードプログラム１４ｐ）の処理に応じて所定の画像が表示される処理結果表示領域（アプリケーション実行結果表示領域１１ｂ）とによって構成される表示部（表示部１１）と、前記状態表示領域に表示される画像の画像データを記憶する状態表示記憶領域（記憶領域１７ａ）、及び前記処理結果表示領域に表示される画像の画像データを記憶する処理結果記憶領域（記憶領域１７ｂ）によって構成される記憶部（フレームバッファ１７）と、前記状態表示記憶領域について、前記システムプログラムに対してのみ、アクセスを許可するアクセス制御部（ＭＭＵ１６）とを備える携帯電話端末であることを要旨とする。
【００１０】
かかる特徴によれば、アクセス制御部が、状態表示記憶領域について、画像データの書き込み及び読み出しのためのアクセスをシステムプログラムに対してのみ許可するため、状態表示記憶領域と対応付けられる状態表示領域、つまり、システム情報表示領域に表示され、読込みプログラム、例えば、インターネットからダウンロードしたダウンロードしたプログラムが実行中であるか否かを示すピクトなど、携帯電話端末の状態を示す画像が、不正なダウンロードプログラムによって消去されたり、書き換えられたりすることが防止される。
【００１１】
このため、システム情報表示領域に表示される画像（ピクト）に基づいて、端末装置のセキュリティが保障されている状態であるか否かについて、利用者に注意を喚起することができる。
【００１２】
本発明の第２の特徴は、本発明の第１の特徴において、前記アクセス制御部が、前記読込みプログラムの種別と、前記読込みプログラムと対応付けられた所定の条件とに基づいて、前記状態表示記憶領域へのアクセスを許可することを要旨とする。
【００１３】
かかる特徴によれば、状態表示記憶領域へのアクセスについて、ダウンロードプログラムに対しても必要により許可することができるため、より柔軟かつ多彩なダウンロードプログラムの作成に寄与することができる。
【００１４】
本発明の第３の特徴は、本発明の第１または第２の特徴において、前記アクセス制御部として、ハードウェアによって構成される装置が用いられることを要旨とする。
【００１５】
また、かかる特徴によれば、記憶領域の管理が、ソフトウェアではなく、ハードウェア、すなわち、メモリマネージメントユニット（ＭＭＵ：Memory Management Unit）によって実現され、かつ、当該ＭＭＵが、システムプログラム及び読込みプログラムに、画像データの書き込み及び読み出しのためのアクセスを許可するため、読込みプログラム、つまり、ダウンロードプログラムに係る処理の実行速度、つまり、携帯電話端末の動作速度を向上させることができる。
【発明の効果】
【００１６】
本発明によれば、ピクトなど、システム情報表示領域に表示される画像に基づいて、セキュリティが保障されている状態であるか否かについて利用者に注意を喚起する端末装置において、かかるセキュリティをより確実に確保することができる端末装置を提供することができる。
【発明を実施するための最良の形態】
【００１７】
（端末装置の構成）
次に、本発明の実施形態について説明する。なお、以下の図面の記載において、同一又は類似の部分には、同一又は類似の符号を付している。ただし、図面は模式的なものであり、各寸法の比率などは現実のものとは異なることに留意すべきである。したがって、具体的な寸法などは以下の説明を参酌して判断すべきものである。また、図面相互間においても互いの寸法の関係や比率が異なる部分が含まれていることは勿論である。
【００１８】
図１は、本実施形態に係る端末装置である携帯電話端末１０の概観図を示している。同図に示すように、携帯電話端末１０は、携帯電話端末１０の状態や、外部、例えば、インターネット上に公開されているサイトからダウンロードしたダウンロードプログラムの実行結果などが表示される表示部１１を備えている。
【００１９】
なお、本実施形態では、本発明を携帯電話端末に適用した場合を例として説明するが、本発明の適用範囲は、携帯電話端末に限定されるものではないことは勿論である。すなわち、本発明は、本実施形態に係る携帯電話端末１０と同様の機能を有する端末装置、例えば、携帯情報端末（PDA）やパーソナルコンピュータ（ＰＣ）にも適用することができる。
【００２０】
また、以下の説明において、ダウンロードした、または記憶媒体から読み込まれたアプリケーションプログラムを便宜上ダウンロードプログラムと総称する。
【００２１】
本実施形態では、携帯電話端末１０は、例えば、ＰＤＣ（Personal Digital Cellular）方式に準拠した携帯電話システムにおいて用いられる携帯電話端末である。また、本実施形態では、携帯電話端末１０は、折り畳み式の形態であるが、携帯電話端末１０の状態や、ダウンロードプログラムの実行結果などが表示される表示部１１を備える携帯電話端末であれば、他の形態（例えば、ストレート形）であってもよい。
【００２２】
図２は、携帯電話端末１０の論理ブロック構成を示している。同図に示すように、携帯電話端末１０は、表示部１１と、通信部１２と、システムプログラム格納部１３と、ダウンロードプログラム格納部１４と、制御部１５と、ＭＭＵ（Memory Management Unit）１６と、フレームバッファ１７とを備えている。
【００２３】
表示部１１は、システムプログラム格納部１３に予め実装されるシステムプログラム１３ｐ（図２において不図示）の処理に応じて携帯電話端末１０の状態を表示するシステム情報表示領域１１ａ（状態表示領域）と、システムプログラム１３ｐ及びダウンロードプログラム１４ｐ（図２において不図示）の処理に応じて所定の画像が表示されるアプリケーション実行結果表示領域１１ｂ（処理結果表示領域）とによって構成される。なお、表示部１１としては、例えば、ＴＦＴなどのカラー液晶表示装置を用いることができる。また、アプリケーション実行結果表示領域１１ｂは、さらに複数の領域に分割されていてもよい。
【００２４】
通信部１２は、無線による音声通話機能や、電子メールの送受信機能を提供するものである。具体的には、通信部１２は、制御部１５からの指示に基づいて、発着信に係るシグナリングや、電子メールの送受信に用いられる通信プロトコルにしたがった処理を実行する。
【００２５】
システムプログラム格納部１３は、携帯電話端末１０に予め実装されるシステムプログラム１３ｐを格納するものである。ここで、システムプログラム１３ｐとは、携帯電話端末１０に予め実装されている、或いは携帯電話会社や携帯電話端末１０の製造元などによってリリースされる、音声通話や電子メールの送受信といった、携帯電話端末１０の基本的な機能に係るプログラムをいうものとする。
【００２６】
ダウンロードプログラム格納部１４は、インターネットなど、外部からダウンロードしたダウンロードプログラム１４ｐを格納するものである。ここで、ダウンロードプログラム１４ｐとは、インターネット上に公開されているサイトなどから、携帯電話端末１０の利用者によって、携帯電話端末１０にダウンロードされたアプリケーションプログラムに加え、記憶媒体、例えば、小型メモリカードに記憶されたアプリケーションプログラムをいうものとする。
【００２７】
制御部１５は、システムプログラム格納部１３に格納されているシステムプログラム１３ｐを実行し、通信部１２を用いて、音声通話や電子メールの送受信などを行うものである。また、制御部１５は、携帯電話端末１０の状態を示す画像を表示部１１（システム情報表示領域１１ａ）に表示したり、表示部１１（システム情報表示領域１１ａ）から消去したりするように、ＭＭＵ１６に対して指示する。
【００２８】
また、制御部１５は、ダウンロードプログラム格納部１４に格納されているダウンロードプログラム１４ｐを実行し、その実行結果を表示部１１（アプリケーション実行結果表示領域１１ｂ）表示したり、表示部１１（アプリケーション実行結果表示領域１１ｂ）から消去したりするように、ＭＭＵ１６に対して指示する。
【００２９】
フレームバッファ１７は、システム情報表示領域１１ａに表示される画像の画像データを記憶する記憶領域１７ａ（状態表示記憶領域）、及びアプリケーション実行結果表示領域１１ｂに表示される画像の画像データを記憶する記憶領域１７ｂ（処理結果記憶領域）によって構成され、本実施形態では、記憶部を構成する。なお、フレームバッファ１７は、記憶領域１７ａと記憶領域１７ｂとの２つの記憶領域ではなく、表示領域に応じて、さらに多くの領域に分割されていてもよい。
【００３０】
ＭＭＵ１６は、記憶領域１７ａについて、システムプログラム１３ｐに対してのみ画像データの書き込み及び読み出しのためのアクセスを許可する。また、ＭＭＵ１６は、記憶領域１７ｂについて、システムプログラム１３ｐ及びダウンロードプログラム１４ｐに対して画像データの書き込み及び読み出しのためのアクセスを制御することができ、本実施形態では、アクセス制御部を構成する。
【００３１】
また、ＭＭＵ１６は、ダウンロードプログラム１４ｐの種別と、ダウンロードプログラム１４ｐと対応付けられた所定の条件とに基づいて、記憶領域１７ａへのアクセスを許可することができる。
【００３２】
具体的には、ＭＭＵ１６は、図３に示すようなテーブルを参照して、システムプログラム１３ｐ及びダウンロードプログラム１４ｐによる、フレームバッファ１７への画像データの書き込みや、フレームバッファ１７からの画像データの読み出しを制御する。
【００３３】
図３（ａ）に示すように、ＭＭＵ１６は、システム情報表示領域１１ａと対応付けられている記憶領域１７ａについて、画像データの書き込み及び読み出しをシステムプログラム１３ｐに対してのみ許可（「ＷＲ」で表示）する。
【００３４】
一方、ＭＭＵ１６は、アプリケーション実行結果表示領域１１ｂと対応付けられている記憶領域１７ｂについて、システムプログラム１３ｐ及びダウンロードプログラム１４ｐに画像データの書き込み及び読み出し（「ＷＲ」で表示）のためのアクセスを許可する。
【００３５】
すなわち、ＭＭＵ１６は、記憶領域１７ｂについて、システムプログラム１３ｐまたはダウンロードプログラム１４ｐによる指示にかかわらず、画像データの書き込み及び読み出しのためのアクセスを許可する。
【００３６】
また、本実施形態では、ＭＭＵ１６は、プログラムの種別と記憶領域との組合せ（例えば、ダウンロードプログラム１４ｐと記憶領域１７ｂとの組合せ）に基づいて、当該記憶領域への書き込み及び読み出しの可否を判定する。すなわち、ＭＭＵ１６は、フレームバッファ１７全体ではなく、フレームバッファ１７を構成する記憶領域１７ａならびに記憶領域１７ｂごとに、書き込み及び読み出しの可否を判定することができる。
【００３７】
このように、携帯電話端末１０では、ハードウェア、つまり、ＭＭＵ１６によって実現され、かつ、ＭＭＵ１６が、画像データの書き込み及び読み出しのためのアクセスを許可するため、ダウンロードプログラムに係る処理の実行速度、つまり、携帯電話端末の動作速度を向上させることができる。
【００３８】
また、図３（ａ）に示したテーブルでは、ダウンロードプログラム１４ｐは、記憶領域１７ａについて、画像データの書き込み及び読み出しともできない形態としたが、図３（ｂ）に示すように、ダウンロードプログラム１４ｐは、記憶領域１７ａについて、画像データの書き込みはできないものの、読み出しのみはできる形態（「ＲＯ」で表示）とすることもできる。
【００３９】
さらに、ＭＭＵ１６は、ダウンロードプログラム１４ｐの種別と、当該ダウンロードプログラム１４ｐと対応付けられた所定の条件とに基づいて、記憶領域１７ａへのアクセスを許可してもよい。例えば、ＭＭＵ１６は、小型メモリカードなどの記憶媒体から読み込まれたダウンロードプログラム１４ｐに対して、小型メモリカードから読み込まれた時点から所定の時間、当該ダウンロードプログラム１４ｐに対して、記憶領域１７ａへのアクセスを許可してもよい。
【００４０】
また、図３（ａ）及び（ｂ）に示した例では、書き込み／読み出し可（ＷＲ）、読み出しのみ可（ＲＯ）、及び書き込み／読み出しとも不可の３種類として説明したが、ＭＭＵ１６は、さらに多様に、フレームバッファ１７に対するアクセスを制御してもよい。
【００４１】
例えば、ＭＭＵ１６は、ダウンロードプログラム１４ｐに対して、以下のようにアクセスを制御することができる。ＭＭＵ１６は、記憶領域１７ａについて、書き込み／読み出しとも不可とし、記憶領域１７ｂについて、書き込み／読み出し可（ＷＲ）とすることができる。さらに、ＭＭＵ１６は、フレームバッファ１７の他の記憶領域について、読み出しのみ可（ＲＯ）とし、フレームバッファ１７のさらに他の記憶領域について、書き込みのみ可（ＷＯ）とすることができる。
【００４２】
（端末装置の動作）
次に、上述した本実施形態に係る端末装置である携帯電話端末１０の動作について説明する。図４は、携帯電話端末１０の動作を説明するための説明図である。同図に示すように、表示部１１は、システム情報表示領域１１ａと、アプリケーション実行結果表示領域１１ｂとに区分される。
【００４３】
システム情報表示領域１１ａには、無線信号の受信状態（図中のアンテナマーク）、バッテリー残量（図中のバッテリーマーク）、及びダウンロードプログラム１４ｐが実行中であること（図中の「α」マーク）を示すピクト１１ｃが表示される。
【００４４】
また、アプリケーション実行結果表示領域１１ｂには、ダウンロードプログラム１４ｐが実行されることによって、その実行結果（例えば、ダウンロードプログラム１４ｐが、ゲームプログラムであれば、ゲーム内容を示す画像）が表示される。なお、アプリケーション実行結果表示領域１１ｂには、システムプログラム１３ｐが実行されることによって、その実行に関する結果（例えば、通話先の情報を示す画像）も表示される。
【００４５】
記憶領域１７ａは、システム情報表示領域１１ａと対応付けられており、システム情報表示領域１１ａに表示される画像の画像データを記憶する。また、記憶領域１７ｂは、アプリケーション実行結果表示領域１１ｂと対応付けられており、アプリケーション実行結果表示領域１１ｂに表示される画像の画像データを記憶する。
【００４６】
ＭＭＵ１６は、システムプログラム１３ｐまたはダウンロードプログラム１４ｐにフレームバッファ１７へのアクセスの可否を判定する。具体的には、ＭＭＵ１６は、上述したように、図３（ａ）に示したようなテーブルに基づいて、システムプログラム１３ｐに対してのみ、システム情報表示領域１１ａについて、画像データの書き込み及び読み出しのためのアクセスを許可するとともに、アプリケーション実行結果表示領域１１ｂについて、システムプログラム１３ｐ及びダウンロードプログラム１４ｐに、画像データの書き込み及び読み出しのためのアクセスを許可する。
【００４７】
すなわち、ＭＭＵ１６は、ダウンロードプログラム１４ｐに対しては、システム情報表示領域１１ａについて、画像データの書き込み及び読み出しのためのアクセスを許可しない。
【００４８】
次に、図５（ａ）は、上述したＭＭＵ１６の動作によって、表示部１１に表示される画像の一例を示している。
【００４９】
同図（ａ）は、システムプログラム１３ｐの処理に応じて、利用者に対して識別子（ＰＩＮ）やパスワードの入力を促す画像が表示されている状態を示している。同図（ａ）では、識別子（ユーザＩＤ）を入力するエリアと、当該識別子に対応付けられているパスワードを入力するエリアとによって構成される画像が、アプリケーション実行結果表示領域１１ｂに表示されている。さらに、システム情報表示領域１１ａには、ピクト１１ｃ、すなわち、「α」マークが表示されていない。
【００５０】
したがって、利用者は、ダウンロードプログラム１４ｐが実行されていないこと、つまり、携帯電話端末１０のセキュリティが保障されていること、具体的には、ユーザＩＤやパスワードが不正に第三者に取得される可能性がないことを認識した上で、ユーザＩＤやパスワードを入力することができる。
【００５１】
一方、図５（ｂ）は、“不正な”ダウンロードプログラム１４ｐの処理に応じて、ユーザＩＤやパスワードを不正に取得しようとしている状態を示している。同図（ｂ）では、上述した図５（ａ）と同様に、識別子（ユーザＩＤ）を入力するエリアと、当該識別子に対応付けられているパスワードを入力するエリアとによって構成される画像が、アプリケーション実行結果表示領域１１ｂに表示されている。さらに、システム情報表示領域１１ａには、ピクト１１ｃ、すなわち、「α」マークが表示されている。
【００５２】
また、“不正な”ダウンロードプログラム１４ｐは、仮にピクト１１ｃ、すなわち、「α」マークの表示をシステム情報表示領域１１ａから消去しようとしても、ＭＭＵ１６によって、システム情報表示領域１１ａと対応付けられている記憶領域１７ｂにはアクセスすることができない。
【００５３】
したがって、利用者は、ダウンロードプログラム１４ｐが実行されていること、つまり、携帯電話端末１０のセキュリティが保障されていないこと、具体的には、ユーザＩＤやパスワードが不正に第三者に取得される可能性がある旨、利用者に注意を喚起することができる。
【００５４】
（作用・効果）
以上説明した本実施形態に係る携帯電話端末１０によれば、ＭＭＵ１６が、記憶領域１７ａについて、画像データの書き込み及び読み出しのためのアクセスをシステムプログラム１３ｐに対してのみ許可するため、記憶領域１７ａと対応付けられるシステム情報表示領域１１ａに表示され、ダウンロードプログラム１４ｐが実行中であるか否かを示すピクト１１ｃなど、携帯電話端末１０の状態を示す画像が、不正なダウンロードプログラム１４ｐによって消去されたり、書き換えられたりすることが防止される。
【００５５】
このため、システム情報表示領域１１ａに表示されるピクト１１ｃに基づいて、携帯電話端末１０のセキュリティが保障されている状態であるか否かについて、利用者に注意を喚起することができる。
【００５６】
また、本実施形態に係る携帯電話端末１０によれば、アクセス制御部が、ソフトウェアではなく、ハードウェア（ＭＭＵ：Memory Management Unit）によって実現され、かつ、ＭＭＵ１６が、システムプログラム１３ｐ及びダウンロードプログラム１４ｐに、画像データの書き込み及び読み出しのためのアクセスを許可するため、ダウンロードプログラム１４ｐに係る処理の実行速度、つまり、携帯電話端末の動作速度を向上させることができる。
【００５７】
本実施形態に係る携帯電話端末１０によれば、システム情報表示領域１１ａへのアクセスについて、ダウンロードプログラム１４ｐに対しても必要により許可することができるため、より柔軟かつ多彩なダウンロードプログラム１４ｐの作成に寄与することができる。
【００５８】
上述したように、本発明の一実施形態を通じて本発明の内容を開示したが、この開示の一部をなす論述及び図面は、本発明を限定するものであると理解すべきではない。本発明は、ここでは記載していない様々な実施の形態などを含むことは勿論であり、この開示から当業者には様々な代替実施の形態、実施例及び運用技術が明らかとなろう。
【００５９】
したがって、本発明の技術的範囲は、上述の説明から妥当な特許請求の範囲に係る発明特定事項によってのみ定められるものである。
【図面の簡単な説明】
【００６０】
【図１】本発明の実施形態に係る携帯電話端末の概観図である。
【図２】本発明の実施形態に係る携帯電話端末の論理ブロック構成図である。
【図３】本発明の実施形態に係る携帯電話端末のメモリマネージメントユニットにおいて用いられるテーブルの一例を示す図である
【図４】本発明の実施形態に係る携帯電話端末の動作例を示す図である。
【図５】本発明の実施形態に係る携帯電話端末の動作例を示す図である。
【符号の説明】
【００６１】
１０…携帯電話端末、１１…表示部、１１ａ…システム情報表示領域、１１ｂ…アプリケーション実行結果表示領域、１１ｃ…ピクト、１２…通信部、１３…システムプログラム格納部、１３ｐ…システムプログラム、１４…ダウンロードプログラム格納部、１４ｐ…ダウンロードプログラム、１５…制御部、１６…ＭＭＵ、１７…フレームバッファ、１７ａ，１７ｂ…記憶領域
【図１】
2005175966.tif 000003
【図２】
2005175966.tif 000004
【図３】
2005175966.tif 000005
【図４】
2005175966.tif 000006
【図５】
2005175966.tif 000007